(57)【要約】      （修正有）【課題】筆記具を保持し易くするバインダーを提供する。【解決手段】バインダー１は、裏表紙部１２と、裏表紙部１２に対して開閉可能である表表紙部１１と、裏表紙部１２と表表紙部１１との間に位置し、かつ筆記具を係合可能に保持する保持部１３１を有する背表紙部１３と、を有する。また、保持部１３１は、背表紙部１３に形成された孔１３２である。また、背表紙部１３の外側に位置し、かつ少なくとも孔１３２を覆うカバーを有する。【選択図】図１
2019034514.tif 000002
【特許請求の範囲】
【請求項１】
裏表紙部と、
前記裏表紙部に対して開閉可能である表表紙部と、
前記裏表紙部と前記表表紙部との間に位置し、かつ筆記具を係合可能に保持する保持部を有する背表紙部と、
を有することを特徴とするバインダー。
【請求項２】
前記保持部は、前記背表紙部に形成された孔であることを特徴とする、
請求項１に記載のバインダー。
【請求項３】
前記背表紙部の外側に位置し、かつ少なくとも前記孔を覆うカバーを有することを特徴とする、
請求項２に記載のバインダー。
【請求項４】
前記背表紙部は、前記背表紙部の短手方向における中心付近において前記背表紙部の長手方向に形成された第１折目を有することを特徴とする、
請求項２又は３に記載のバインダー。
【請求項５】
前記第１折目は、前記孔の中心線を通る位置に形成されていることを特徴とする、
請求項４に記載のバインダー。
【請求項６】
前記第１折目として、第１溝が形成されており、
前記裏表紙部及び前記表表紙部の少なくともいずれか一方は、被筆記媒体を挟持する挟持部を有し、前記第１溝は、前記背表紙部の前記挟持部が設けられている側の面に形成されていることを特徴とする、
請求項４又は５に記載のバインダー。
【請求項７】
前記表表紙部と前記背表紙部とが結合する位置には、前記背表紙部の長手方向に延在する第２折目が形成されており、
前記裏表紙部と前記背表紙部とが結合する位置には、前記背表紙部の長手方向に延在する第３折目が形成されていることを特徴とする、
請求項６に記載のバインダー。
【請求項８】
前記第２折目として、第２溝が形成されており、
前記第３折目として、第３溝が形成されており、
前記第２溝及び前記第３溝は、前記挟持部が設けられている側の面に形成されていることを特徴とする、
請求項７に記載のバインダー。
【請求項９】
前記背表紙部は、可撓性の素材により形成されていることを特徴とする、
請求項１から８のいずれか一項に記載のバインダー。
【請求項１０】
前記保持部は、リング状の部材であることを特徴とする、
請求項１に記載のバインダー。
【請求項１１】
前記保持部は、前記筆記具のクリップ部を係合可能に保持することを特徴とする、
請求項１から１０のいずれか一項に記載のバインダー。
【請求項１２】
前記裏表紙部及び前記表表紙部の少なくともいずれか一方は、被筆記媒体を挟持する第１挟持部を有し、
前記第１挟持部は、前記第１挟持部が設けられた前記裏表紙部又は前記表表紙部の長辺及び短辺の少なくともいずれか一方の辺に沿って、前記長辺又は前記短辺の一端付近から他端付近に至る領域に設けられていることを特徴とする、
請求項１から１１のいずれか一項に記載のバインダー。
【請求項１３】
前記第１挟持部は、前記裏表紙部又は前記表表紙部の長辺に沿って設けられ、前記第１挟持部の一端は前記裏表紙部又は前記表表紙部の第１の短辺と接続して閉じられており、前記第１挟持部の他端は前記裏表紙部又は前記表表紙部の第２の短辺から離間して開放されていることを特徴とする、
請求項１２に記載のバインダー。
【請求項１４】
前記裏表紙部及び前記表表紙部のうち、前記第１挟持部が設けられていない側の表紙部は、前記被筆記媒体を挟持する第２挟持部を有し、
前記被筆記媒体が前記第１挟持部に挟持された状態における前記被筆記媒体の露出面積が、前記被筆記媒体が前記第２挟持部に挟持された状態における前記被筆記媒体の露出面積より大きくなることを特徴とする、
請求項１２又は１３に記載のバインダー。
【請求項１５】
前記第２挟持部は、前記第２挟持部が設けられた前記裏表紙部又は前記表表紙部の面積と略等しいことを特徴とする、
請求項１４に記載のバインダー。
【発明の詳細な説明】
【技術分野】
【０００１】
本発明は、バインダーに関する。
【背景技術】
【０００２】
従来、バインダーが用いられている。特許文献１には、筆記具を保持する箱状の筆記具ホルダーが設けられているバインダーが開示されている。
【先行技術文献】
【特許文献】
【０００３】
【特許文献１】実開昭５９−１６４７７４号公報
【発明の概要】
【発明が解決しようとする課題】
【０００４】
特許文献１に示すように、筆記具を保持する箱状の筆記具ホルダーが設けられているバインダーにおいては、筆記具の太さによっては、筆記具ホルダーに筆記具を保持させづらい場合があるという問題が生じていた。
【０００５】
そこで、本発明はこれらの点に鑑みてなされたものであり、筆記具を保持させ易いバインダーを提供することを目的とする。
【課題を解決するための手段】
【０００６】
本発明の第１の態様においては、裏表紙部と、前記裏表紙部に対して開閉可能である表表紙部と、前記裏表紙部と前記表表紙部との間に位置し、かつ筆記具を係合可能に保持する保持部を有する背表紙部と、を有することを特徴とするバインダーを提供する。
【０００７】
また、前記保持部は、前記背表紙部に形成された孔であってもよい。また、前記背表紙部の外側に位置し、かつ少なくとも前記孔を覆うカバーを有していてもよい。また、前記背表紙部は、前記背表紙部の短手方向における中心付近において前記背表紙部の長手方向に形成された第１折目を有していてもよい。
【０００８】
また、前記第１折目は、前記孔の中心線を通る位置に形成されていてもよい。また、前記第１折目として、第１溝が形成されており、前記裏表紙部及び前記表表紙部の少なくともいずれか一方は、被筆記媒体を挟持する挟持部を有し、前記第１溝は、前記背表紙部の前記挟持部が設けられている側の面に形成されていてもよい。
【０００９】
また、前記表表紙部と前記背表紙部とが結合する位置には、前記背表紙部の長手方向に延在する第２折目が形成されており、前記裏表紙部と前記背表紙部とが結合する位置には、前記背表紙部の長手方向に延在する第３折目が形成されていてもよい。また、前記第２折目として、第２溝が形成されており、前記第３折目として、第３溝が形成されており、前記第２溝及び前記第３溝は、前記挟持部が設けられている側の面に形成されていてもよい。
【００１０】
また、前記背表紙部は、可撓性の素材により形成されていてもよい。また、前記保持部は、リング状の部材であってもよい。また、前記保持部は、前記筆記具のクリップ部を係合可能に保持してもよい。また、前記裏表紙部及び前記表表紙部の少なくともいずれか一方は、被筆記媒体を挟持する第１挟持部を有し、前記第１挟持部は、前記第１挟持部が設けられた前記裏表紙部又は前記表表紙部の長辺及び短辺の少なくともいずれか一方の辺に沿って、前記長辺又は前記短辺の一端付近から他端付近に至る領域に設けられていてもよい。
【００１１】
また、前記第１挟持部は、前記裏表紙部又は前記表表紙部の長辺に沿って設けられ、前記第１挟持部の一端は前記裏表紙部又は前記表表紙部の第１の短辺と接続して閉じられており、前記第１挟持部の他端は前記裏表紙部又は前記表表紙部の第２の短辺から離間して開放されていてもよい。
【００１２】
また、前記裏表紙部及び前記表表紙部のうち、前記第１挟持部が設けられていない側の表紙部は、前記被筆記媒体を挟持する第２挟持部を有し、前記被筆記媒体が前記第１挟持部に挟持された状態における前記被筆記媒体の露出面積が、前記被筆記媒体が前記第２挟持部に挟持された状態における前記被筆記媒体の露出面積より大きくなっていてもよい。また、前記第２挟持部は、前記第２挟持部が設けられた前記裏表紙部又は前記表表紙部の面積と略等しくてもよい。
【発明の効果】
【００１３】
本発明によれば、バインダーにおいて、筆記具を保持し易くなるという効果を奏する。
【図面の簡単な説明】
【００１４】
【図１】本実施形態に係るバインダーの正面図である。
【図２】本実施形態に係るバインダーの背面図である。
【図３】本実施形態に係るバインダーの右側面図である。
【図４】本実施形態に係るバインダーの左側面図である。
【図５】本実施形態に係るバインダーの平面図である。
【図６】本実施形態に係るバインダーの底面図である。
【図７】図６で示す底面図におけるＸ−Ｘ’部分拡大図である。
【図８】本実施形態に係るバインダーの斜視図である。
【図９】挟持部の機能について説明するための図である。
【図１０】本実施形態に係るバインダーに筆記具及び被筆記媒体が取り付けられた状態をバインダーの内側から見た図である。
【図１１】本実施形態に係るバインダーに筆記具及び被筆記媒体が取り付けられた状態をバインダーの外側から見た図である。
【図１２】本実施形態に係るバインダーに筆記具及び被筆記媒体が取り付けられた状態でバインダーが閉じられた状態を示す図である。
【図１３】本実施形態に係るバインダーに筆記具を保持させる方法の一例を示す図である。
【図１４】変形例のバインダーの断面図である。
【図１５】図１４で示す変形例のバインダーの断面図におけるＹ−Ｙ’部分拡大図である。
【発明を実施するための形態】
【００１５】
＜本実施形態＞
［バインダー１の概要］
図１は、本実施形態に係るバインダー１の正面図である。図２は、本実施形態に係るバインダー１の背面図である。図３は、本実施形態に係るバインダー１の右側面図である。図４は、本実施形態に係るバインダー１の左側面図である。図５は本実施形態に係るバインダー１の平面図である。図６は、本実施形態に係るバインダー１の底面図である。図７は、図６で示す底面図におけるＸ−Ｘ’部分拡大図である。図８は、本実施形態に係るバインダー１の斜視図である。図９は、挟持部の機能について説明するための図である。
【００１６】
図１０から図１３は、バインダー１の使用状態について説明するための図である。図１０は、本実施形態に係るバインダー１に筆記具２及び被筆記媒体３が取り付けられた状態をバインダー１の内側から見た図である。図１１は、本実施形態に係るバインダー１に筆記具２及び被筆記媒体３が取り付けられた状態をバインダー１の外側から見た図である。図１２は、本実施形態に係るバインダー１に筆記具２及び被筆記媒体３が取り付けられた状態でバインダー１が閉じられた状態を示す図である。
【００１７】
図１３は、本実施形態に係るバインダー１に筆記具２を保持させる方法の一例を示す図である。図１３（ａ）は、バインダー１の孔１３２に、筆記具２のクリップ部２１が差し込まれた状態を示す図である。図１３（ｂ）は、バインダー１の孔１３２に、筆記具２のクリップ部２１が差し込まれた状態で、筆記具２がバインダー１に収納される状態を示す図である。
【００１８】
図１から図１３に示すように、バインダー１は、開閉する２枚の表紙を有するファイル型のバインダーである。図１０に示すように、バインダー１の表紙が開かれた状態では、バインダー１の内側に挟持された被筆記媒体３に、筆記具２を用いて記録することができる。そして、バインダー１の表紙が閉じられた状態では、バインダー１の内側に筆記具２、及び被筆記媒体３を収納することができる。被筆記媒体３は、例えば紙であるが、樹脂又は木材等であってもよい。
【００１９】
筆記具２は、例えば、シャープペン、又はボールペンであり、クリップ部２１を有する。クリップ部２１は、例えば書類やシャツのポケット等のシート状部材に筆記具２を固定するための可撓性を有する棒状部材である。クリップ部２１には、定常状態において筆記具２の側面に接する突起が形成されている。この突起は、外部からの力が加わった状態で筆記具２の側面から離れる。クリップ部２１と筆記具２との間にシート状部材が挟まった状態で突起が筆記具２を押すように作用することで、クリップ部２１は、筆記具２をシート状部材に固定することができる。
【００２０】
［バインダー１の構成］
バインダー１は、表表紙部１１、裏表紙部１２、背表紙部１３、第１溝１４、第２溝１５、第３溝１６、第１挟持部１７、及び第２挟持部１８を有する。表表紙部１１、及び裏表紙部１２は、それぞれバインダー１が有する２枚の表紙である。表表紙部１１は、裏表紙部１２に対して開閉可能である。表表紙部１１及び裏表紙部１２は、例えば同じ長方形状を有する。ユーザがバインダー１を閉じた状態で、表表紙部１１と裏表紙部１２とは、ほぼ重なった状態になる。
【００２１】
背表紙部１３は、裏表紙部１２と表表紙部１１との間に位置する。背表紙部１３は、例えば表表紙部１１及び裏表紙部１２よりも細長い長方形状を有する。表表紙部１１、裏表紙部１２、及び背表紙部１３の素材は任意であるが、例えば可撓性の素材により一体に形成されている。
【００２２】
背表紙部１３は、筆記具２を保持するための保持部１３１を有する。具体的には、保持部１３１は、筆記具２のクリップ部２１と係合することにより、クリップ部２１を保持する。
【００２３】
図１に示すように、保持部１３１は、例えば背表紙部１３に形成されている孔１３２である。図１に示す例において、孔１３２は、背表紙部１３の長手方向において離間して２つ形成されているが、孔１３２の数は任意である。バインダー１は、背表紙部１３に保持部１３１として孔１３２が形成されているので、孔１３２に筆記具２のクリップ部２１を係合させることができる。孔１３２にクリップ部２１を係合させる場合、筆記具２の太さや大きさによらず筆記具２を固定することができる。よって、バインダー１は、様々な太さの筆記具２を保持することができる。
【００２４】
また、筆記具２が、クリップ部２１が設けられているキャップを有する場合、ユーザは、筆記具２で被筆記媒体３に記録をする際に、当該キャップを孔１３２に保持させた状態で筆記具２を使用できるので、筆記具２のキャップが紛失することを予防することができる。
【００２５】
また、背表紙部１３には、第１溝１４が形成されている。第１溝１４は、背表紙部１３の短手方向における中心付近において背表紙部１３の長手方向に形成されている。具体的には、第１溝１４は、孔１３２の中心線を通る位置に形成されている。このように、孔１３２の中心線を通る位置に第１溝１４が形成されているので、図１３（ａ）に示すように、孔１３２に筆記具２を保持させる際に、バインダー１の内側の面を露出するようにして、表表紙部１１と裏表紙部１２とを開くことで、背表紙部１３を第１溝１４の位置を折り目として、折り曲げることができる。
【００２６】
このとき、背表紙部１３は、第１溝１４の位置が突出する形状となるので、筆記具２のクリップ部２１を孔１３２に係合させる際に、筆記具２の長手方向における上端付近が表表紙部１１、裏表紙部１２、又は背表紙部１３に接触しないようにすることができる。この結果、ユーザは、筆記具２のクリップ部２１を容易に孔１３２に係合させることができる。
【００２７】
第２溝１５は、表表紙部１１と背表紙部１３とが結合する位置に、背表紙部１３の長手方向に延在して形成されている。第３溝１６は、裏表紙部１２と背表紙部１３とが結合する位置に、背表紙部１３の長手方向に延在して形成されている。
【００２８】
バインダー１は、表表紙部１１と背表紙部１３とが結合する位置に、第２溝１５が形成されていることで、第２溝１５の位置において、背表紙部１３に対して、表表紙部１１を折り曲げることができる。また、バインダー１は、裏表紙部１２と背表紙部１３とが結合する位置に、第３溝１６が形成されていることで、第３溝１６の位置において、背表紙部１３に対して、裏表紙部１２を折り曲げることができる。
【００２９】
図７で示すように、第１溝１４、第２溝１５、及び第３溝１６は、すべてバインダー１の内側の面に形成されている。具体的には、第１溝１４は、背表紙部１３の第１挟持部１７及び第２挟持部１８が設けられている側の面に形成されている。第１挟持部１７及び第２挟持部１８は、被筆記媒体３を挟持する部分である。第１挟持部１７及び第２挟持部１８は、表表紙部１１及び裏表紙部１２の少なくともいずれか一方に設けられている。第１挟持部１７及び第２挟持部１８の詳細は後述する。
【００３０】
また、第２溝１５及び第３溝１６は、第１溝１４と同様に、バインダー１の第１挟持部１７及び第２挟持部１８が設けられている側の面に形成されている。このように、バインダー１は、第１溝１４、第２溝１５、第３溝１６、第１挟持部１７、及び第２挟持部１８がすべてバインダー１の内側の面に設けられているので、バインダー１は外側からの見栄えが向上する。
【００３１】
第１挟持部１７は、表表紙部１１の内側に設けられている。具体的には、第１挟持部１７は可撓性の素材で形成されており、一端が表表紙部１１の長手方向に沿って表表紙部１１の端部に結合され、他端が表表紙部１１に結合されておらず開放状態になっている。第１挟持部１７は、被筆記媒体３に筆記具２を用いて記録をする際に、被筆記媒体３をバインダー１に挟持するために用いられる。ユーザは、第１挟持部１７と表表紙部１１との間に被筆記媒体３を挿入することで、被筆記媒体３をバインダー１に挟持した状態で筆記具２を用いて被筆記媒体３に記録することができる。
【００３２】
第１挟持部１７は、第１挟持部１７が設けられた表表紙部１１の長辺に沿って、当該長辺の一端付近から他端付近に至る領域に設けられている。第１挟持部１７がこのように長辺の一端付近から他端付近に至る領域に設けられているので、バインダー１は、被筆記媒体３を第１挟持部１７に挟持する際に、被筆記媒体３が第１挟持部１７によって挟持される領域を大きくすることができる。よって、バインダー１は、被筆記媒体３を安定してバインダー１に固定することができる。
【００３３】
第１挟持部１７は、例えば長方形状である。図９に示すように、第１挟持部１７の一端は、表表紙部１１の第１の短辺と結合しており、第１挟持部１７の他端は、表表紙部１１の第２の短辺から離間して開放されている。具体的には、第１挟持部１７の長手方向における下端は、表表紙部１１の下端と結合されており、第１挟持部１７の長手方向における上端は、表表紙部１１の上端と結合されていない。第１挟持部１７の短手方向における背表紙部１３側とは反対側の端部は、表表紙部１１の背表紙部１３側とは反対側の端部と結合されており、第１挟持部１７の短手方向における背表紙部１３側の端部は、表表紙部１１とは結合されていない。
【００３４】
よって、ユーザは、第１挟持部１７の長手方向における上端側、かつ短手方向における背表紙部１３側の隅を指でつまんで、図９の矢印Ａが示す向きに移動させることで、表表紙部１１から離れる向きにめくることが可能である。したがって、ユーザは、第１挟持部１７に被筆記媒体３を容易に挿入することができる。
【００３５】
第２挟持部１８は、被筆記媒体３をバインダー１に収納するために用いられる。第２挟持部１８は、裏表紙部１２及び表表紙部１１のうち、第１挟持部１７が設けられていない側の表紙部に設けられている。例えば、図９に示すように、第２挟持部１８は、裏表紙部１２に設けられている。第２挟持部１８は、例えば可撓性の素材で形成されており、裏表紙部１２の内側の面に設けられている。
【００３６】
第２挟持部１８は、例えば長方形状である。第２挟持部１８における下端は、裏表紙部１２の下端と結合されており、第２挟持部１８の上端は、裏表紙部１２の上端と結合されていない。第２挟持部１８の背表紙部１３側とは反対側の端部は、裏表紙部１２の背表紙部１３側とは反対側の端部と結合されており、第２挟持部１８の背表紙部１３側の端部は、裏表紙部１２とは結合されていない。
【００３７】
よって、ユーザは、第２挟持部１８の上端側、かつ背表紙部１３側の隅を指でつまんで、図９の矢印Ｂが示す向きに移動させることで、裏表紙部１２から離れる向きにめくることが可能である。したがって、ユーザは、容易に被筆記媒体３を裏表紙部１２と第２挟持部１８との間に収納したり、被筆記媒体３を裏表紙部１２と第２挟持部１８との間から取り出したりすることができる。
【００３８】
図１０に示すように、第２挟持部１８の背表紙部１３の短手方向における長さは、第１挟持部１７の背表紙部１３の短手方向における長さよりも長い。したがって、被筆記媒体３が第１挟持部１７に挟持された状態における被筆記媒体３の露出面積は、被筆記媒体３が第２挟持部１８に挟持された状態における被筆記媒体３の露出面積より大きい。
【００３９】
第２挟持部１８は、第２挟持部１８が設けられた裏表紙部１２の面積と略等しい。よって、第２挟持部１８に挟持された被筆記媒体３は露出せず、被筆記媒体３すべてを裏表紙部１２と第２挟持部１８との間に収納することができる。この結果、バインダー１は、被筆記媒体３を汚したり、折り曲げたりせずに収納することができる。
【００４０】
また、表表紙部１１の内側の面、すなわち表表紙部１１の第１挟持部１７が設けられている側の面は、バインダー１のそれ以外の面、例えば、表表紙部１１の外側の面、裏表紙部１２の外側の面、及び第２挟持部１８の面よりも、面の表面が滑らかである。よって、表表紙部１１の内側の面上で、第１挟持部１７に挟持された状態の被筆記媒体３は、筆記具２で記録する際に、文字等が描き易い。
【００４１】
［保持部１３１に筆記具２を保持させる方法の一例］
図１３を参照しながら、本実施形態に係るバインダー１に筆記具２を保持させる方法の一例を説明する。
前述したように、孔１３２に筆記具２を保持させる際に、裏表紙部１２と表表紙部１１とを開くことにより、バインダー１の内側の面を露出させる。そして、背表紙部１３を第１溝１４の位置を折り目として、第１溝１４の位置が突出するような形状とする。そして、背表紙部１３の第１溝１４の位置を突出させた状態で、筆記具２を表表紙部１１又は裏表紙部１２に沿わせながら、例えば背表紙部１３の短手方向と略同じ向きに移動させることで、筆記具２のクリップ部２１を孔１３２に挿入する（図１３（ａ））。
【００４２】
そして、筆記具２のクリップ部２１を孔１３２に挿入させた状態で、筆記具２の長手方向における下端を、筆記具２の長手方向が背表紙部１３の長手方向と略同じ向きになるように回転させる（図１３（ｂ））。このようにして、ユーザは、筆記具２をバインダー１に容易に保持させることができる。
【００４３】
［変形例］
上記実施の形態では、背表紙部１３には、保持部１３１として孔１３２が形成されており、背表紙部１３の外側から孔１３２が視認できる構成であるが、これに限定されない。バインダー１は、例えば、背表紙部１３の外側に位置し、かつ少なくとも孔１３２を覆うカバー１９を有していてもよい。
【００４４】
図１４は、本変形例のバインダー１の断面図である。図１５は、図１４で示す本変形例のバインダー１の断面図におけるＹ−Ｙ’部分拡大図である。図１４及び図１５に示すように、背表紙部１３の外側において、孔１３２とカバー１９との間には、空間が生じ得るように構成されている。バインダー１は、このようなカバー１９を有することで、バインダー１の外側からは孔１３２が見えない状態で、ユーザが、クリップ部２１を孔１３２とカバー１９との間に挿入することができる。したがって、ユーザが筆記具２をバインダー１に容易に保持させることができ、かつバインダー１の外側からの見栄えが向上する。
【００４５】
また、上記実施の形態では、第１挟持部１７が表表紙部１１に設けられており、第２挟持部１８が裏表紙部１２に設けられているとしたが、これに限定されない。第１挟持部１７が裏表紙部１２に設けられており、第２挟持部１８が表表紙部１１に設けられていてもよい。
【００４６】
また、上記実施の形態では、第１挟持部１７は、表表紙部１１の長辺に沿って、当該長辺の一端付近から他端付近に至る領域に設けられているとしたが、これに限定されない。第１挟持部１７は、例えば表表紙部１１の短辺に沿って、当該短辺の一端付近から他端付近に至る領域に設けられていてもよい。
【００４７】
また、上記実施の形態では、背表紙部１３には、保持部１３１として孔１３２が形成されている例を示したが、保持部１３１は孔１３２だけに限定されない。例えば、保持部１３１としてリング状の部材が設けられていてもよい。この場合、当該リング状の部材にて筆記具２の軸部を直接保持するようにしてもよく、リング状の部材に筆記具２のクリップ部２１が係合されることで筆記具２を保持するようにしてもよい。また、リング状の部材の代わりに、背表紙部１３の長手方向に形成された複数の板状部材により、筆記具２の軸部を挟み込んで保持する構成としてもよい。
【００４８】
また、上記実施の形態では、第１溝１４、第２溝１５及び第３溝１６が、第１挟持部１７及び第２挟持部１８が設けられている側の面に形成されている例を示したが、第１溝１４、第２溝１５及び第３溝１６の少なくともいずれかが反対側の面に形成されていてもよい。
【００４９】
また、上記実施の形態では、バインダー１には、第１溝１４、第２溝１５、及び第３溝１６が形成されているとしたが、バインダー１には、折目が形成されていれば、溝に限定されない。バインダー１には、例えば、背表紙部１３には、第１溝１４の代わりに第１折目が形成されており、表表紙部１１と背表紙部１３とが結合する位置に、第２溝１５の代わりに第２折目が形成されており、裏表紙部１２と背表紙部１３とが結合する位置に、第３溝１６の代わりに第３折目が形成されていてもよい。ただし、折目を溝とすることで、当該溝を形成した方向にバインダー１を折り曲げやすくなるため、使い勝手を向上させることができる。
【００５０】
［本実施形態に係るバインダー１による効果］
本実施形態に係るバインダー１は、裏表紙部１２と、裏表紙部１２に対して開閉可能である表表紙部１１と、裏表紙部１２と表表紙部１１との間に位置し、かつ筆記具２のクリップ部２１を係合可能に保持する保持部１３１を有する背表紙部１３と、を有する。
【００５１】
本実施形態に係るバインダー１は、このように背表紙部１３に筆記具２のクリップ部２１を係合可能に保持する保持部１３１が設けられているので、バインダー１は、筆記具２を保持し易い。バインダー１は、例えば様々な太さの筆記具２を保持することができるので、ユーザは、使用する筆記具２の太さによらずバインダー１を使用することができる。
【００５２】
以上、本発明を実施の形態を用いて説明したが、本発明の技術的範囲は上記実施の形態に記載の範囲には限定されず、その要旨の範囲内で種々の変形及び変更が可能である。例えば、装置の分散・統合の具体的な実施の形態は、以上の実施の形態に限られず、その全部又は一部について、任意の単位で機能的又は物理的に分散・統合して構成することができる。また、複数の実施の形態の任意の組み合わせによって生じる新たな実施の形態も、本発明の実施の形態に含まれる。組み合わせによって生じる新たな実施の形態の効果は、もとの実施の形態の効果を合わせ持つ。
【符号の説明】
【００５３】
１・・・バインダー
１１・・・表表紙部
１２・・・裏表紙部
１３・・・背表紙部
１３１・・・保持部
１３２・・・孔
１４・・・第１溝
１５・・・第２溝
１６・・・第３溝
１７・・・第１挟持部
１８・・・第２挟持部
１９・・・カバー
２・・・筆記具
２１・・・クリップ部
３・・・被筆記媒体
【図１】
2019034514.tif 000003
【図２】
2019034514.tif 000004
【図３】
2019034514.tif 000005
【図４】
2019034514.tif 000006
【図５】
2019034514.tif 000007
【図６】
2019034514.tif 000008
【図７】
2019034514.tif 000009
【図８】
2019034514.tif 000010
【図９】
2019034514.tif 000011
【図１０】
2019034514.tif 000012
【図１１】
2019034514.tif 000013
【図１２】
2019034514.tif 000014
【図１３】
2019034514.tif 000015
【図１４】
2019034514.tif 000016
【図１５】
2019034514.tif 000017